(57)【要約】      （修正有）【課題】雄型コンタクトとの良好な接触圧を確保しつつ、コストダウンが図られた雌型コンタクトを提供する。【解決手段】雌型コンタクト１０は、第１鉤部３４Ａおよび第２鉤部３４Ｂで構成された天井部３４を有する。第１鉤部３４Ａは、第１接触ばね部３２の上端縁から第２接触ばね部３３側に向かって延びる第１腕部３４１Ａを有する。また、第２鉤部３４Ｂは、第２接触ばね部３３の上端縁から第１接触ばね部３２側に向かって延びる第２腕部３４１Ｂを有する。さらに、第１鉤部３４Ａは、第２腕部３４１Ｂに向かって延びる第１爪部３４２Ａを有する。また、第２鉤部３４Ｂは、第１腕部３４１Ａに向かって第１爪部３４２Ａから離間して延びる第２爪部３４２Ｂを有する。第１接触ばね部３２と第２接触ばね部３３との間が所定間隔に広がると第１爪部３４２Ａと第２爪部３４２Ｂが互いに係止して、それを越える広がりを防止する。【選択図】図１
2019071212.tif 000002
【特許請求の範囲】
【請求項１】
基部と、該基部の両側縁各々から立ち上がる第１接触ばね部および第２接触ばね部とを備え、該第１接触ばね部と該第２接触ばね部との間に棒状の雄型コンタクトが挿入され該雄型コンタクトを該第１接触ばね部と該第２接触ばね部とで挟むことによって該雄型コンタクトと電気的に導通する雌型コンタクトであって、
前記第１接触ばね部および前記第２接触ばね部の各上端縁どうしの間に形成され、前記第１接触ばね部と前記第２接触ばね部との間の所定間隔を越える広がりを防止する天井部を備えたことを特徴とする雌型コンタクト。
【請求項２】
前記天井部が、前記第１接触ばね部につながる第１鉤部と前記第２接触ばね部につながる第２鉤部とを備え、
前記第１鉤部が、前記第１接触ばね部の上端縁から前記第２接触ばね部側に向かって延びる第１腕部を有し、
前記第２鉤部が、前記雄型コンタクトの挿入の向きに関し前記第１腕部との間に間隔を空けて前記第２接触ばね部の上端縁から前記第１接触ばね部側に向かって延びる第２腕部を有し、さらに、
前記第１鉤部が、前記第１腕部の、前記第２接触ばね部側の端部から前記第２腕部に向かって延びる第１爪部を有し、
前記第２鉤部が、前記第２腕部の、前記第１接触ばね部側の端部から前記第１腕部に向かって前記第１爪部から離間して延びる第２爪部を有し、
前記第１接触ばね部と前記第２接触ばね部との間が前記所定間隔に広がったときに前記第１爪部と前記第２爪部が互いに係止して該第１接触ばね部と該第２接触ばね部との間の該所定間隔を越える広がりを防止することを特徴とする請求項１に記載の雌型コンタクト。
【請求項３】
前記第１腕部、前記第２腕部、前記第１爪部、および前記第２爪部に囲まれた天窓が、前記雄型コンタクトの挿入の向きおよび該挿入の向きとは交わる向きの双方に関し、前記天井部の中央部に形成されていることを特徴とする請求項２に記載の雌型コンタクト。
【発明の詳細な説明】
【技術分野】
【０００１】
本発明は、基部と、その基部の両側縁の各々から立ち上がり、挿入された棒状の雄型コンタクトを挟む２つの接触ばね部とを備えた雌型コンタクトに関する。
【背景技術】
【０００２】
上記の構造の雌型コンタクトに、２つの接触ばね部どうしの間隔を大きく広げる力が作用することがある。例えば、雄型コンタクトが正規の挿入方向に対し斜めに挿入されることなどにより、そのような力が作用する。２つの接触ばね部どうしの間隔が弾性限界を超えて広がると、雄型コンタクトとの間の接触圧が得られず、導通の信頼性の低下を招く。
【０００３】
ここで、特許文献１には、上記の２つの接触ばね部に対応する２つの側板どうしの間隔が開かないように係止した構造の接続端子が開示されている。
【０００４】
また、特許文献２には、上記の２つの接触ばね部に対応する、互いに対向する端子片の開きを所定間隔以内に規制する規制片を設けた雌型端子が開示されている。
【先行技術文献】
【特許文献】
【０００５】
【特許文献１】特開平７−３２６４１５号公報
【特許文献１】特開平８−３０６４２１号公報
【発明の概要】
【発明が解決しようとする課題】
【０００６】
上掲の特許文献１の接続端子の場合、２つの接触ばね部（２つの側板）どうしが開かないように係止されているため、接触圧を生成するために付加的なばね部材を要し、コストアップになる。
【０００７】
また、上掲の特許文献２の雌型端子の場合、接触ばね部（端子片）どうしの所定間隔以内の開きが許容されているため、接触ばね部（端子片）のばね力を使って信頼性の高い接触圧を確保することができる。しかしながら、この特許文献２の雌型端子の場合、所定間隔を超える開きを規制するための規制片が長く延びた形状を有している。
【０００８】
雌型コンタクトは、一般的に、金属板の打ち抜き加工および曲げ加工により製造される。このため、所定面積の金属板から何個の雌型コンタクトを製造することができるかがコスト上重要となる。ここで、特許文献２の雌型端子の場合、長く延びた規制片が必要であり、材料取りが良好でなく、コストアップのおそれがある。また、この規制片は複雑な形状を有している。このため、特許文献２の雌型端子は、その製造にあたって複雑な加工工程を必要とし、この点もコストアップの要因となるおそれがある。
【０００９】
本発明は、上記事情に鑑み、雄型コンタクトとの良好な接触圧を確保しつつ、特許文献２の構造と比べコストダウンが図られた雌型コンタクトを提供することを目的とする。
【課題を解決するための手段】
【００１０】
上記目的を達成するための本発明の雌型コンタクトは、基部と、その基部の両側縁各々から立ち上がる第１接触ばね部および第２接触ばね部とを備え、第１接触ばね部と第２接触ばね部との間に棒状の雄型コンタクトが挿入されその雄型コンタクトを第１接触ばね部と第２接触ばね部とで挟むことによって雄型コンタクトと電気的に導通する雌型コンタクトであって、
第１接触ばね部および第２接触ばね部の各上端縁どうしの間に形成され、第１接触ばね部と第２接触ばね部との間の所定間隔を越える広がりを防止する天井部を備えたことを特徴とする。
【００１１】
ここで、本発明の雌型コンタクトにおいて、上記天井部が、第１接触ばね部につながる第１鉤部と第２接触ばね部につながる第２鉤部とを備え、
第１鉤部が、第１接触ばね部の上端縁から第２接触ばね部側に向かって延びる第１腕部を有し、
第２鉤部が、雄型コンタクトの挿入の向きに関し第１腕部との間に間隔を空けて第２接触ばね部の上端縁から第１接触ばね部側に向かって延びる第２腕部を有し、さらに、
第１鉤部が、第１腕部の、第２接触ばね部側の端部から第２腕部に向かって延びる第１爪部を有し、
第２鉤部が、第２腕部の、第１接触ばね部側の端部から第１腕部に向かって第１爪部から離間して延びる第２爪部を有し、
第１接触ばね部と第２接触ばね部との間が所定間隔に広がったときに第１爪部と第２爪部が互いに係止して第１接触ばね部と第２接触ばね部との間の所定間隔を越える広がりを防止する構造とすることが好ましい。
【００１２】
また、本発明の雌型コンタクトにおいて、上記の第１鉤部および第２鉤部を備えた場合に、第１腕部、第２腕部、第１爪部、および第２爪部に囲まれた天窓が、雄型コンタクトの挿入の向きおよび挿入の向きとは交わる向きの双方に関し、天井部の中央部に形成されていることが好ましい。
【発明の効果】
【００１３】
本発明の雌型コンタクトによれば、上記の天井部を備えていることにより、１つには、所定間隔以内の広がりが許容されていて、第１接触ばね部および第２接触ばね部のばね力を使って良好な接触圧が確保される。また、本発明の雌型コンタクトによれば、上記の天井部を備えていることにより、材料取りの良好な、かつ簡易な構造での所定間隔を超えた広がりが防止される。これにより、本発明の雌型コンタクトによれば、コストアップを抑えつつ、信頼性の高い接触圧が確保される。
【００１４】
また、本発明の雌型コンタクトにおいて、上記の天窓を天井部の中央部に形成すると、第１接触ばね部と第２接触ばね部が所定間隔に広がったときの第１鉤部と第２鉤部にかかる力の配分が均等となる。
【図面の簡単な説明】
【００１５】
【図１】本発明の一実施形態としての雌型コンタクトの斜視図である。
【図２】図１に斜視図を示す雌型コンタクトの３面図である。
【図３】図１，図２に示す雌型コンタクトの製造途中の形状を示した平面図である。
【図４】図２に示す円Ｒの部分の拡大図（Ａ）と、図２（Ａ）に示す矢印Ａ−Ａに沿う断面図（Ｂ）である。
【発明を実施するための形態】
【００１６】
以下、本発明の実施の形態について説明する。
【００１７】
図１は、本発明の一実施形態としての雌型コンタクトの斜視図である。ここで、図１（Ａ），（Ｂ）は同一の雌型コンタクトを上下逆向きにして示した斜視図である。
【００１８】
また、図２は、図１に斜視図を示す雌型コンタクトの３面図である。ここで、図２（Ａ），（Ｂ）、および（Ｃ）は、それぞれ、平面図、正面図、および側面図である。
【００１９】
これら図１，図２に示す雌型コンタクト１０には、電線（不図示）が圧着接続されるが、図１，図２には、電線圧着前の形状の雌型コンタクトが示されている。
【００２０】
さらに、図１，図２に示す雌型コンタクト１０には、キャリア２０が接続されている。図１，図２に示すキャリア２０は、雌型コンタクト１つ分に対応する部分であり、実際には、このキャリア２０は、長尺の帯形状を有している。そして、そのキャリア２０には、ここに示す雌型コンタクト１０と同形状の多数の雌型コンタクトが、一定間隔で接続されている。また、このキャリア２０には、その一定間隔と同じ間隔で、雌型コンタクト搬送用の穿孔２１が形成されている。このキャリア２０は、多数の雌型コンタクトが製造の途中でバラバラになるのを防ぐとともに、それら多数の雌型コンタクトを順に搬送する役割りを担っている。各雌型コンタクト１０は、最終的にはキャリア２０から切り離される。
【００２１】
図３は、図１，図２に示す雌型コンタクトの製造途中の形状（展開形状）を示した平面図である。
【００２２】
雌型コンタクト１０の製造にあたっては、金属板が図３に示す形状に打ち抜かれて、図１，図２に示した形状に折り曲げ加工される。ここでは、折り曲げ加工前（図３）においても折り曲げ加工後（図１，図２）の各要素に対応する要素には、折り曲げ加工後の各要素に付した符号と同じ符号を付して示している。
【００２３】
この雌型コンタクト１０は、挿入されてきた雄型コンタクトに接触する接触部３０と、電線（不図示）の芯線を圧着接続する芯線圧着部４０と、被覆されたままの電線（不図示）の、露出した芯線に隣接する部分を圧着把持する電線圧着部５０とを有する。電線（不図示）は、芯線圧着部４０および電線圧着部５０に圧着される部分を先端部とし、キャリア２０を横切って延びる向きに配置される。
【００２４】
ここで、接触部３０は、基部３１と、第１接触ばね部３２と、第２接触ばね部３３と、天井部３４とを有する。
【００２５】
第１接触ばね部３２および第２接触ばね部３３は、基部３１の両側縁各々から立ち上がっている部分である。第１接触ばね部３２および第２接触ばね部３３の各々には、内向きに突き出た接触突部３２ａ，３３ａが形成されている。雄型コンタクト（不図示）は、図１に示す矢印Ｘの向きに、接触部３０に挿入される。そして、接触部３０に雄型コンタクトが挿入されると、第１接触ばね部３２と第２接触ばね部３３が互いの間隔を広げる向きに弾性的に撓んで雄型コンタクトを挟む。これにより、接触突部３２ａ，３３ａが雄型コンタクトに所定の接触圧で接触し、この雌型コンタクト１０と、そこに挿し込まれた雄型コンタクトとの間が、電気的に導通する。
【００２６】
また、この雌型コンタクト１０の接触部３０は、天井部３４を備えている。この天井部３４の説明にあたっては、図１〜図３に加え、さらに図４を参照しながら説明する。
【００２７】
図４は、図２に示す円Ｒの部分の拡大図（Ａ）と、図２（Ａ）に示す矢印Ａ−Ａに沿う断面図（Ｂ）である。
【００２８】
この天井部３４は、第１接触ばね部３２および第２接触ばね部３３の各上端縁どうしの間に形成されている。そして、この天井部３４は、第１接触ばね部３２および第２接触ばね部３３の各々に繋がる第１鉤部３４Ａおよび第２鉤部３４Ｂで構成されている。
第１鉤部３４Ａは、第１接触ばね部３２の上端縁から第２接触ばね部３３側に向かって延びる第１腕部３４１Ａを有する。また、第２鉤部３４Ｂ、雄型コンタクトの挿入の向き（図１に示す矢印Ｘの向き）に関し第１腕部３４１Ａとの間に間隔ｄ１を空けて第２接触ばね部３３の上端縁から第１接触ばね部３２側に向かって延びる第２腕部３４１Ｂを有する。さらに、第１鉤部３４Ａは、第１腕部３４１Ａの、第２接触ばね部３３側の端部から第２腕部３４１Ｂに向かって延びる第１爪部３４２Ａを有する。また、これと同様に、第２鉤部３４Ｂは、第２腕部３４１Ｂの、第１接触ばね部３２側の端部から第１腕部３４１Ａに向かって第１爪部３４２Ａから離間（間隔ｄ２）して延びる第２爪部３４２Ｂを有する。そして、この天井部３４には、第１腕部３４１Ａ、第２腕部３４１Ｂ、第１爪部３４２Ａ、および第２爪部３４２Ｂに囲まれた、ｄ１×ｄ２の寸法の天窓３５が形成されている。この天窓３５は、雄型コンタクトの挿入の向きおよびその挿入の向きとは交わる向きの双方に関し、天井部３４の中央部に形成されている。
【００２９】
天井部３４を構成している第１鉤部３４Ａおよび第２鉤部３４Ｂは、第１接触ばね部３２と第２接触ばね部３３との間の所定間隔を越える広がりを防止する役割りを担っている。すなわち、これら第１鉤部３４Ａおよび第２鉤部３４Ｂは、第１接触ばね部３２と第２接触ばね部３３との間が所定間隔に広がったときに第１爪部３４２Ａと前記第２爪部３４２Ｂが互いに係止して、第１接触ばね部３２と第２接触ばね部３３との間の所定間隔を越える広がりを防止する。
【００３０】
このように、本実施形態の雌型コンタクト１０は、第１鉤部３４Ａおよび第２鉤部３４Ｂで構成される天井部３４を備えている。これにより、本実施形態の雌型コンタクト１０は、１つには、所定間隔以内の広がりが許容されていて、第１接触ばね部３２および第２接触ばね部３３のばね力を使って良好な接触圧が確保される。また、本実施形態の雌型コンタクト１０によれば、上記の天井部３４を備えていることにより、材料取りの良好な、かつ簡易な構造での所定間隔を超えた広がりが防止される。したがって、本実施形態の雌型コンタクト１０によれば、コストアップを抑えつつ、信頼性の高い接触圧が確保される。
【００３１】
また、本実施形態の雌型コンタクト１０の場合、上記の天窓３５が天井部３４の中央部に形成されている。このため、第１接触ばね部３２と第２接触ばね部３３が所定間隔に広がったときの第１鉤部３４Ａと第２鉤部３４Ｂにかかる力の配分が均等となる。
【符号の説明】
【００３２】
１０    雌型コンタクト
２０    キャリア
２１    穿孔
３０    接触部
３１    基部
３２    第１接触ばね部
３３    第２接触ばね部
３４    天井部
３４Ａ  第１鉤部
３４Ｂ  第２鉤部
３４１Ａ  第１腕部
３４２Ａ  第１爪部
３４１Ｂ  第２腕部
３４２Ｂ  第２爪部
３５    天窓
４０    芯線圧着部
５０    電線圧着部
【図１】
2019071212.tif 000003
【図２】
2019071212.tif 000004
【図３】
2019071212.tif 000005
【図４】
2019071212.tif 000006